(57)【要約】【課題】  アルバムのタイトル表示を見るだけでそのアルバムの内容をユーザーが容易に想起できるようにする。【解決手段】  サムネイル画像合成手段３０６によって、ユーザーが移動した移動経路の経路データを示すサムネイル画像４２をアルバムのタイトルを表示するタイトルバー４１に合成する。【選択図】  図７
2006185262.tif 000002
【特許請求の範囲】
【請求項１】
ユーザーが所定の移動経路を移動したときに撮影したデータを含むデジタル画像データを表示手段に表示させる電子アルバムを作成する電子アルバムシステムであって、
ナビゲーション装置により特定された前記移動経路の経路データ及び前記デジタル画像データを記録する記録手段と、
前記記録手段に記録された前記移動経路の全体又は一部の経路データを示すサムネイル画像を、前記表示手段に表示される前記電子アルバムのタイトルを示すタイトル表示部に対して合成するサムネイル画像合成手段を備えたことを特徴とする電子アルバムシステム。
【請求項２】
請求項１に記載された電子アルバムシステムにおいて、
前記移動経路の位置情報を示す地図名称を前記経路データ上に表示する地図名称表示手段をさらに備えており、
前記サムネイル画像合成手段は、前記タイトル表示部に合成すべき画像データとして、前記地図名称表示手段により前記地図名称が表示された前記経路データのサムネイル画像を合成するように構成されていることを特徴とする電子アルバムシステム。
【請求項３】
請求項１に記載された電子アルバムシステムにおいて、
前記電子アルバムに収録されている画像データの画像の一部に副画像表示領域を設け、該副画像表示領域に前記経路データのサムネイル画像を合成表示する副画像合成表示手段をさらに備えており、
前記サムネイル画像合成手段は、前記タイトル表示部に合成すべき画像データとして、前記副画像合成表示手段により前記経路データが合成表示された画像データを合成するように構成されていることを特徴とする電子アルバムシステム。
【請求項４】
請求項１乃至３のうち何れか１項に記載された電子アルバムシステムにおいて、
前記サムネイル画像合成手段により前記タイトル表示部に合成表示されたサムネイル画像を、ユーザーの操作に基づいて他の画像データに変更する合成画像変更手段をさらに備えたことを特徴とする電子アルバムシステム。
【請求項５】
ユーザーが所定の移動経路を移動したときに撮影したデータを含むデジタル画像データを表示手段に表示させる電子アルバムであって、
ナビゲーション装置により特定された前記移動経路の経路データ及び前記デジタル画像データが記録され、
少なくとも前記移動経路の全体又は一部を示す経路データのサムネイル画像が、前記表示手段に表示される前記アルバムのタイトルを示すタイトル表示部に対して合成されていることを特徴とする電子アルバム。
【発明の詳細な説明】
【技術分野】
【０００１】
本発明は、電子アルバム及びそれを作成する電子アルバムシステムに関し、特にアルバムの内容を示すタイトルの表示形式に関するものである。
【背景技術】
【０００２】
近年、デジタルカメラやカメラ付き携帯電話が普及しており、このデジタルカメラやカメラ付き携帯電話で撮影された画像は、プリンタ等のプリント装置で写真プリントとしてプリント出力するだけではなく、ＣＤやＤＶＤ等の記録媒体に記録して電子アルバムを作成し、コンピュータやテレビモニタ等にスライドショー形式で順次表示させて楽しむといった使い方がなされている。
【０００３】
ここで、電子アルバムを作成する際には、どこに旅行したときのアルバムであるかを容易に想起することができるようにアルバムタイトルを付けることが一般的である。そして、電子アルバムを起動すると、まず最初にタイトルメニュー画面が表示され、このタイトルメニュー画面にはアルバムのタイトル名や作成日時等の基本的な情報を示すタイトルバーが表示されるようになっている。そして、このタイトルバーを選択することで画像データの鑑賞ができるようになっている。
【０００４】
さらに、アルバムデータのデータ容量が比較的少ない場合には、ＤＶＤやハードディスク等の大容量の記録媒体に複数のアルバムデータをまとめて記録することが行われており、この場合には、前記タイトルメニュー画面で複数のタイトルバー（タイトル表示部）が表示される。
【０００５】
しかし、例えば、京都方面に複数回旅行し、金閣寺、銀閣寺、清水寺・・・等とそれぞれ異なった観光地を周遊したときのそれぞれのアルバムデータを１つの電子アルバムに収録する場合、「京都旅行１」、「京都旅行２」、・・・等と実際に旅行した場所に拘わらず連番を付加して区別しようとすると、しばらく時間が経過してからアルバムを見る際に、その連番タイトルだけでは京都のどこに旅行したときのアルバムであるかを判断することが難しく、実際に再生してみないと判別できないといった不都合が生じていた。
【０００６】
このような問題を解消するために、特許文献１，２には、アルバムに保存されている画像データのうち１つをサムネイルで表示したものを前記タイトルバーに合成表示したものが開示されている。このようなアルバムタイトルの表示形式の場合には、異なる観光地に行ったときのサムネイル画像であれば、縮小画面であっても互いに識別することが可能である。
【特許文献１】特開２００１−８１４９号公報
【特許文献２】特開２００２−８２９５７号公報
【発明の開示】
【発明が解決しようとする課題】
【０００７】
しかしながら、上述したようなサムネイル画像であっても、似通った観光地に旅行したときのサムネイル画像であれば、その画像を見ただけではどこで撮影したものであるのかを瞬時に把握して互いに識別することは非常に困難であると考えられ、結局はユーザーが実際にアルバムを再生して確認していかなければならず、手間がかかって使い勝手が悪い。
【０００８】
本発明は、かかる点に鑑みてなされたものであり、その目的とするところは、アルバムのタイトル表示を見るだけでそのアルバムの内容をユーザーが容易に想起できるようにすることにある。
【課題を解決するための手段】
【０００９】
前記目的を達成するため、本発明では、タイトル表示部に旅行当時の移動経路を示す経路データのサムネイル画像を合成表示するようにした。
【００１０】
すなわち、請求項１の発明は、ユーザーが所定の移動経路を移動したときに撮影したデータを含むデジタル画像データを表示手段に表示させる電子アルバムを作成する電子アルバムシステムであって、
ナビゲーション装置により特定された前記移動経路の経路データ及び前記デジタル画像データを記録する記録手段と、
前記記録手段に記録された前記移動経路の全体又は一部の経路データを示すサムネイル画像を、前記表示手段に表示される前記電子アルバムのタイトルを示すタイトル表示部に対して合成するサムネイル画像合成手段を備えたことを特徴とする。
【００１１】
従って、本発明によれば、ユーザーが移動した移動経路の経路データが記録手段に記録され、サムネイル画像合成手段により、該記録手段に記録された該移動経路の全体又は一部の経路データを示すサムネイル画像が電子アルバムのタイトル表示部に合成される。
【００１２】
請求項２の発明は、請求項１に記載された電子アルバムシステムにおいて、
前記移動経路の位置情報を示す地図名称を前記経路データ上に表示する地図名称表示手段をさらに備えており、
前記サムネイル画像合成手段は、前記タイトル表示部に合成すべき画像データとして、前記地図名称表示手段により前記地図名称が表示された前記経路データのサムネイル画像を合成するように構成されていることを特徴とする。
【００１３】
従って、本発明によれば、地図名称表示手段により、経路データ上に地図名称が表示され、サムネイル画像合成手段により、該地図名称が表示された経路データを示すサムネイル画像が電子アルバムのタイトル表示部に合成される。
【００１４】
請求項３の発明は、請求項１に記載された電子アルバムシステムにおいて、
前記電子アルバムに収録されている画像データの画像の一部に副画像表示領域を設け、該副画像表示領域に前記経路データのサムネイル画像を合成表示する副画像合成表示手段をさらに備えており、
前記サムネイル画像合成手段は、前記タイトル表示部に合成すべき画像データとして、前記副画像合成表示手段により前記経路データが合成表示された画像データを合成するように構成されていることを特徴とする。
【００１５】
従って、本発明によれば、副画像合成表示手段により、電子アルバムに収録されている画像データの画像の一部に設けられた副画像表示領域に経路データのサムネイル画像が合成され、サムネイル画像合成手段により、副画像として経路データが合成された画像データが電子アルバムのタイトル表示部に合成される。
【００１６】
請求項４の発明は、請求項１乃至３のうち何れか１項に記載された電子アルバムシステムにおいて、
前記サムネイル画像合成手段により前記タイトル表示部に合成表示されたサムネイル画像を、ユーザーの操作に基づいて他の画像データに変更する合成画像変更手段をさらに備えたことを特徴とする。
【００１７】
従って、本発明によれば、合成画像変更手段により、電子アルバムのタイトル表示部に合成されている経路データを示すサムネイル画像が他の画像データに変更される。
【００１８】
請求項５の発明は、ユーザーが所定の移動経路を移動したときに撮影したデータを含むデジタル画像データを表示手段に表示させる電子アルバムであって、
ナビゲーション装置により特定された前記移動経路の経路データ及び前記デジタル画像データが記録され、
少なくとも前記移動経路の全体又は一部を示す経路データのサムネイル画像が、前記表示手段に表示される前記アルバムのタイトルを示すタイトル表示部に対して合成されていることを特徴とする。
【００１９】
従って、本発明によれば、ユーザーが移動した移動経路の全体又は一部の経路データを示すサムネイル画像がアルバムのタイトル表示部に合成された電子アルバムが構成される。
【発明の効果】
【００２０】
以上のように、請求項１に係る発明によれば、電子アルバムのタイトル表示部に移動経路の全部又は一部の経路データを示すサムネイル画像を合成するようにしたから、実際にアルバムを再生しなくてもどこに旅行したときのアルバムであるかがタイトル表示を見るだけで瞬時に判別でき、例えば、１つの電子アルバム内に複数のアルバムデータが収録されている場合であっても、ユーザーが鑑賞を希望するアルバムをすぐに見つけ出すことができてユーザーの利便性が向上する。
【００２１】
請求項２に係る発明によれば、ユーザーが旅行したときに立ち寄った観光地の名称（地図名称）を経路データ上に表示させたサムネイル画像をタイトル表示部に合成表示するようにしたから、例えば、同じ京都旅行であっても、“金閣寺”及び“清水寺”を観光した場合と、“金閣寺”及び“銀閣寺”を観光した場合のアルバムデータをその経路の違いから容易に識別することができてユーザーが鑑賞を希望するアルバムの再生がスムーズに行える。
【００２２】
請求項３に係る発明によれば、電子アルバムに収録されている画像データに副画像表示領域を設けて、この副画像表示領域に旅行当時の経路データを示すサムネイル画像を合成し、この合成画像をタイトル表示部に合成表示するようにしたから、旅行当時の経路データとともにそのときに撮影した画像データからもアルバムの内容を想起することができ、ユーザーが鑑賞を希望するアルバムを容易に判別することができる。
【００２３】
請求項４に係る発明によれば、タイトル表示部に合成表示されたサムネイル画像をユーザーが任意に変更することができるから、アルバムの内容をより想起しやすいサムネイル画像に変更することで、ユーザーが鑑賞を希望するアルバムの選択が容易に行うことができる。
【００２４】
請求項５に係る発明は、電子アルバムのタイトル表示部に移動経路の経路データを示すサムネイル画像が合成されているから、実際にアルバムを再生しなくてもどこに旅行したときのアルバムであるかがタイトル表示部を見るだけで瞬時に判別できる。
【発明を実施するための最良の形態】
【００２５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２６】
［システム構成］
図１は、本発明の実施形態に係る電子アルバムシステム１００の構成を示すブロック図である。図１に示すように、この電子アルバムシステム１００は、電子アルバムの作成及び再生に関してデータの入出力を行う入出力部２００と、データの処理及び記録を行う処理部３００とを備えている。
【００２７】
前記入出力部２００は、画像データやメニュー画面を表示するディスプレイ２０１と、前記処理部３００に対して必要な操作を実現するためのキー入力処理を行うキー入力部２０２と、音声情報を出力するスピーカ２０３と、電子アルバムシステム１００から離間した位置において電子アルバムの再生等の必要とする操作を行うリモートコントローラ２０４と、リモートコントローラ２０４からの赤外線信号を受信する赤外線センサ２０５と、画像データにアクセスするための入出力ターミナル２０６と、ドライブユニット２０７とを備えている。
【００２８】
前記入出力ターミナル２０６は、デジタルカメラＣａｍとの間に配置されるＵＳＢ（Universal Serial Bus）規格やＩＥＥＥ１３９４規格等のケーブルＸを介して、このデジタルカメラＣａｍに保存されている画像データを取得するために機能するものである。なお、本発明では、無線によってデジタルカメラＣａｍの画像データを取得するものを除外するものではなく、画像データ入力手段としてBluetooth（ブルートゥース）のように無線を利用して画像データを送るようにしてもよい。
【００２９】
また、前記ドライブユニット２０７は、デジタルカメラＣａｍで撮影された画像データが保存されたフラッシュメモリ等の半導体メディアＭｓからのデータを取得する（読み出す）半導体ドライブ２０８と、ＣＤ−ＲやＤＶＤ−Ｒ等の複数種類の大容量のディスク状メディアＭｄからのデータの取得及び書き込みを可能にするディスクドライブ２０９とを備えている。なお、半導体ドライブ２０８は、コンパクトフラッシュ（登録商標）やスマートメディア（登録商標）やメモリースティック（登録商標）等のフラッシュメモリの種類に対応できるように複数の挿入部を備えていることが好ましい。
【００３０】
前記処理部３００は、マイクロプロセッサへの情報のアクセスを実現する入出力インタフェースＩ／Ｏを備えており、この入出力インタフェースＩ／Ｏに対してディスプレイ２０１、前記キー入力部２０２、前記スピーカ２０３、前記赤外線センサ２０５、前記入出力ターミナル２０６、前記半導体ドライブ２０８、前記ディスクドライブ２０９、及びハードディスクＨＤそれぞれからのデータがアクセスする信号系を形成している。
【００３１】
前記ハードディスクＨＤ（記録手段）は、半導体ドライブ２０８等から取得した画像データを作成する電子アルバム毎にグループ化して記憶するとともに、ユーザーがこの画像データを撮影したときに移動していた移動経路を示す経路データを、図示しないナビゲーション装置から取得して記憶するものである。また、このハードディスクＨＤは地図データを保存する地図データ保存部としての地図データベース、及び音楽データを保存する音楽データベースとして機能するものである。
【００３２】
なお、ハードディスクＨＤの代わりに半導体メモリを用いて構成することも可能である。また、旅行期間中の移動経路の経路データは、ナビゲーション装置から取得するものに限らず、例えば、ディスプレイ２０１の画面上に地図データを表示してユーザーが移動範囲を指定することで移動経路を特定するようにしても構わない。
【００３３】
さらに、前記処理部３００は、マイクロプロセッサからのデータバスに接続する半導体メモリＲＡＭ／ＲＯＭ、不揮発性メモリＥＥＰＲＯＭ、マップマッチング手段３０１、画像記憶処理手段３０２、経路記憶処理手段３０３、保存処理手段３０４、タイトル設定手段３０５、サムネイル画像合成手段３０６、地図名称表示手段３０７、副画像合成表示手段３０８、及び合成画像変更手段３０９を備えている。
【００３４】
なお、この処理部３００において制御を実現するためには、データバスの他にコントロールバスやアドレスバス等を必要とするものであるが、複雑化を避ける目的から図面にはコントロールバス、アドレスバス、及びインタフェース類の記載を省略している。
【００３５】
前記マップマッチング手段３０１は、図示しないナビゲーション装置から取得した位置データに対応する地図データを前記ハードディスクＨＤに保存された地図データベースから抽出する処理を行うものである。
【００３６】
前記画像記憶処理手段３０２は、前記入出力ターミナル２０６、半導体ドライブ２０８、又はディスクドライブ２０９を介して取得した画像データを前記ハードディスクＨＤに保存する処理を行うものである。
【００３７】
前記経路記憶処理手段３０３は、ユーザーが車両等で走行した経路に対応する経路データＲ（図１０参照）を前記ハードディスクＨＤに保存する処理を行うものである。この経路データＲはサンプリングタイミング毎の車両の座標を示すデータを保存した構造のファイルを想定しているが、基点となる複数の座標と、その座標毎において設定された走行方向と走行速度とをベクトルデータ化した構造であってもよい。また、この経路記憶処理手段３０３で保存した経路データＲをディスプレイ２０１に表示した場合には、図１０において破線で示す経路が経路データＲとなる。
【００３８】
前記保存処理手段３０４は、電子アルバム作成に使用する複数の画像データと、旅行期間中に移動した移動経路を示す経路データＲと、経路データＲに対応する地図データと、関連付けられた音楽データが存在する場合にはその音楽データと、プログラムとして構成された後述するタイトル設定手段３０５、サムネイル画像合成手段３０６、地図名称表示手段３０７、副画像合成表示手段３０８、及び合成画像変更手段３０９とをディスク状メディアＭｄ等の記憶メディアに保存する処理を行うものである。
【００３９】
前記タイトル設定手段３０５は、旅行中に観光した観光地を示す観光地タイトルに基づいてアルバムタイトルを自動設定し、又はユーザーの操作に基づいてアルバムタイトルを設定するものである。
【００４０】
前記サムネイル画像合成手段３０６は、ハードディスクＨＤに記録された経路データのサムネイル画像をアルバムタイトルを示すタイトルバー４１（図７参照）に合成する処理を行うものである。
【００４１】
前記地図名称表示手段３０７は、経路データＲ上にユーザーが観光した観光地Ｐ１，Ｐ２，Ｐ３・・・（地図名称）を表示する処理を行うものである。
【００４２】
前記副画像合成表示手段３０８は、アルバムに収録されている画像データの画像の一部に副画像表示画面３３を設けて、該副画像表示画面３３に経路データＲを合成して合成画像データを作成するものである（図４参照）。
【００４３】
前記合成画像変更手段３０９は、タイトルバー４１に合成表示されているサムネイル画像をユーザーの操作に基づいて任意に変更する処理を行うものである。
【００４４】
なお、前記マップマッチング手段３０１、画像記憶処理手段３０２、経路記憶処理手段３０３、保存処理手段３０４，タイトル設定手段３０５、サムネイル画像合成手段３０６、地図名称表示手段３０７、副画像合成表示手段３０８、及び合成画像変更手段３０９は半導体メモリＲＡＭ上に展開したソフトウェア（プログラム）を想定しているが、一部又は全てをロジック等のハードウェアで構成することも可能である。
【００４５】
［電子アルバム作成手順］
次に、本発明の実施形態に係る電子アルバムシステムを用いた電子アルバム作成手順について説明する。以下、電子アルバムの一例であるナビゲーションアルバムを作成する手順について説明する。
【００４６】
ここで、ナビゲーションアルバムとは、電子アルバムを開くと、旅行当日にユーザーが車両で走行した走行経路データをそのまま画面上に表示し、通常のカーナビゲーションのように画面上の現在地を示すカーソル（車両シンボル）が旅行当時の走行経路に沿って移動し、ユーザーが訪れた観光ポイントに到着すると、その場所で撮影したデジタル画像データがスライドショー表示されるように構成されたものである。
【００４７】
図２は、旅行期間中にデジタルカメラＣａｍで撮影したスナップ写真等とその写真を撮影した観光地情報とを関連付ける処理を示すフローチャート図である。図２に示すように、ステップＳ１０１で、半導体メディアＭｓやディスク状メディアＭｄ等の記憶メディアに記憶されている画像データを、前記入出力ターミナル２０６，半導体ドライブ２０８、又はディスクドライブ２０９を介してハードディスクＨＤに入力する。
【００４８】
なお、本実施形態では、ユーザーが撮影に使用していた記憶メディアのみから画像データを読み取るようにしているが、これに限定されず、例えば、一緒に旅行していた他のメンバーが各々撮影に使用していた記憶メディアからも画像データを読み取って、ハードディスクＨＤに追加入力するようにしても構わない。また、他のメンバーの記憶メディアのみから画像データをハードディスクＨＤに入力するようにしても構わないのはもちろんである。
【００４９】
次に、ステップＳ１０２で、前記ハードディスクＨＤに入力した複数の画像データの中から、アルバムに収録すべき画像データを特定する。具体的には、アルバムに収録する必要がない画像データを選択してそれを削除したり、又はアルバムに収録する必要のある画像データのみを選択して特定するようにしている。
【００５０】
そして、ステップＳ１０３で、ナビゲーション装置から取得した位置情報に基づいて、旅行期間中にユーザーが移動したときの地図データ及び経路データＲをハードディスクＨＤから読み出して特定する。
【００５１】
次に、ステップＳ１０４で、前記半導体ドライブ２０８等を介して取得した複数の画像データのうち１つを図３に示す画像取得画面２７に表示する。ステップＳ１０５で、画像取得画面２７よりも下側位置に、ハードディスクＨＤに記録されている観光地情報のタイトル（地図名称）の候補を一覧表示する。なお、図３では一例として“ＵＳＪ”や“海遊館”を表示している。
【００５２】
前記観光地タイトルは、画像取得画面２７に表示された画像データに付加されているＥｘｉｆ情報から撮影日時を特定し、この撮影日時に車両を停車していた位置情報を前記経路記憶処理手段３０３に記憶されている経路データＲから読み出すことで、その位置における最寄りの観光地タイトルの候補を一覧表示するようにしている。そして、スクロールカーソル２６を操作することにより、全ての観光地タイトルの候補を確認することができるようになっている。
【００５３】
そして、ステップＳ１０６で、画像取得画面２７に表示された画像データが、観光地タイトルに関連付ける必要があるかを判定する。ステップＳ１０６での判定が「ＹＥＳ」の場合には、ステップＳ１０７に分岐して、ステップＳ１０７で、画像取得画面２７に表示されている画像データを撮影した観光地のタイトルを選択した状態で「登録」ボタン２９を操作する。これにより、画像取得画面２７に表示された画像データと、撮影場所の観光地タイトルとの関連付けが終了し、ステップＳ１０８に進む。
【００５４】
ステップＳ１０６での判定が「ＮＯ」の場合（写真写りが悪かったり同じようなアングルの写真が何枚もある等の理由による）には、「キャンセル」ボタン３０を操作することで、観光地タイトルに画像データを関連付けることなくステップＳ１０８に分岐する。
【００５５】
ステップＳ１０８で、次の画像データが存在するかを判定し、ステップＳ１０８での判定が「ＹＥＳ」の場合には、ステップＳ１０４に分岐して、次の画像データが画像取得画面２７に表示される。ステップＳ１０８での判定が「ＮＯ」の場合には、画像データと観光地タイトルとの関連付け作業を終了する。
【００５６】
なお、本実施形態では、ユーザーの操作により経路データＲ上の観光地タイトルと撮影した画像データとの関連付けを行うようにしたが、この形態に限定するものではない。例えば、ＧＰＳ機能付カメラやＧＰＳ機能及びカメラ機能付の携帯電話機を用いて撮影した画像データをナビゲーションアルバムシステムに入力するようにすれば、この画像データのＥｘｉｆ情報には撮影日時の他に撮影場所の位置情報が記録されていることから、自動的に経路データＲの観光地タイトルと画像データとの関連付けを行うことができて、ユーザーの作業性を向上させる上で有利となる。
【００５７】
次に、ディスプレイ２０１に図４に示す画像編集画面３１が表示される。この画像編集画面３１では、先ほど観光地タイトルに関連付けた画像データが１枚ずつ表示される。画像編集画面３１の下側位置にはタイトル枠３２が表示され、このタイトル枠３２の左端には画像データと関連付けられた観光地タイトル（図４では“ＵＳＪ”）が表示され、タイトル枠３２の中央右寄り位置には画像データのＥｘｉｆ情報から取得した撮影日時が表示されている。
【００５８】
そして、タイトル枠３２の右端には、その観光地毎に予め登録されている観光地にちなんだ画像がはめ込み合成されるようになっており、複数の画像の中からユーザーの好みに合わせて選択して切り替えることができるようになっている。
【００５９】
また、画面右上には、副画像合成表示手段３０８により副画像表示画面３３が設けられ、観光地の位置情報が地図データとして表示されている。なお、この副画像表示画面３３は、表示されている画像データとオーバーラップして表示されているため、画像データが見づらい等の場合には非表示に設定することもできる。
【００６０】
［タイトル入力処理］
次の処理では、図５に示すように、ディスプレイ２０１にタイトル編集メニュー４０を表示する。このタイトル編集メニュー４０の画面上部にはアルバムのタイトルバー４１がプレビュー表示されており、画面下部にはタイトルバー４１に合成すべき経路データのサムネイル画像４２が一覧表示されている。このサムネイル画像４２としては、旅行期間中に移動した移動経路の全体を表示した画像４２Ａ、旅行期間中に観光した観光地周辺をその観光地タイトルとともに表示した画像４２Ｂ、及び撮影した画像データに副画像表示画面３３を設けて該副画像表示画面３３に経路データを合成した画像４２Ｃ等が挙げられる。
【００６１】
タイトル入力作業は、先ほど選択した観光地タイトルがそのまま入力されるようになっているため、ユーザーがわざわざ入力する必要はない。ここで、ユーザーが任意のタイトル名に修正したい場合には、キー入力部２０２を用いて必要とする文字を入力することができるようになっている。図５に示す例では、タイトル名を“大阪旅行”と修正した状態を示している。また、旅行期間の日時情報が一緒に表示されており、これによって、いつ頃旅行したときのアルバムであるかが容易に想起できるようになっている。
【００６２】
そして、サムネイル画像４２のうちユーザーが合成を希望する画像データを選択し、プレビュー表示されたタイトルバー４１上にドラッグ＆ドロップする。これにより、図６に示すように、タイトルバー４１に先ほど選択したサムネイル画像４２Ａが合成表示される。なお、引き続いてその他のサムネイル画像４２も同様にドラッグ＆ドロップすることで複数のサムネイル画像４２をタイトルバー４１に合成することができる（図８参照）。
【００６３】
また、タイトルバー４１に合成されたサムネイル画像４２Ａを変更したい場合には、タイトルバー４１上にあるサムネイル画像４２Ａを選択して、その他のサムネイル画像４２が一覧表示されている領域に選択したサムネイル画像４２Ａをドラッグ＆ドロップすることで、タイトルバー４１への合成表示を解除して、別のサムネイル画像４２Ｃを再度合成することができるようになっている（図９参照）。
【００６４】
そして、ユーザーが希望するサムネイル画像４２の合成が終了したら、「閉じる」ボタン４３を押してサムネイル画像４２のタイトルバー４１への合成を終了する。
【００６５】
ここで、作成したアルバムのデータ容量が比較的少ない場合等には、１枚のＤＶＤ等の記録メディアに対して１つのアルバムデータのみを記録するのはメディア容量が無駄となることから、この記録メディアに記録可能な容量分の複数枚のアルバムデータを作成してから記録メディアに記録することが行われている。
【００６６】
本実施形態では、先ほど作成した“大阪旅行”のアルバムデータの他にも、別の日に大阪方面に旅行した“大阪旅行”（図７では大阪城に旅行）や“京都旅行”（図７では金閣寺に旅行）のアルバムデータも一緒に１つの記録メディアに記録するようにしている。これらアルバムデータのタイトルバー４１についても、前述したような手順で経路データのサムネイル画像４２を合成するようにしている。
【００６７】
［ナビゲーションアルバムの起動］
このように、画像データと観光地情報との関連付け、及びタイトル編集作業が全て完了した後で、前記保存処理手段３０４によってディスク状メディアＭｄに保存する処理を実行し、ナビゲーションアルバムを作成する。
【００６８】
前記ナビゲーションアルバムは、一般家庭のコンピュータやＤＶＤプレイヤ等にセットすることにより、図７に示すタイトルメニュー画面５０が表示される。このタイトルメニュー画面５０には、このナビゲーションアルバム内に収録されているアルバムデータのタイトルを示す複数のタイトルバー４１が一覧表示されており、各タイトルバー４１には、そのアルバムの内容を示すタイトル名、旅行したときの日時、及び前記タイトル編集メニュー４０で選択したサムネイル画像４２が表示されている。
【００６９】
ここで、前記タイトルバー４１のうち１つを選択すると、図１０に示すように、地図表示画面６０に切り替わる。この地図表示画面６０には、タイムラインバー６１と、複数の再生制御ボタン６２とが表示されており、再生制御ボタン６２のうちの再生ボタンを操作することやタイムラインバー６１を操作することにより、経路データＲ上に車両シンボルＶが移動する状態が時間を短縮した状態で（シミュレーションした状態で）表示される。
【００７０】
そして、車両シンボルＶが出発位置Ｓｔを出発して経路データＲ上を走行し、最初の観光地Ｐ１に到着すると、その観光地Ｐ１に関連付けて登録されていた画像データが、図４に示すような表示形式で、予め設定された順序であって設定されたインターバルで表示されるようになっている。
【００７１】
前記観光地Ｐ１に登録されている画像データを全て見終わった後、再び地図表示画面６０に切り替わり、車両シンボルＶが次の観光地Ｐ２に向けて走行する。このように、全ての観光地Ｐ１〜Ｐ３を車両シンボルＶが走行して到着位置Ｇに到着するまでの間に、各々の観光地Ｐ１〜Ｐ３で登録されていた画像データを時系列に沿って楽しむことができる。
【００７２】
なお、経路データＲの途中に有名な観光地がある場合には、その観光地情報がアルバム内に登録されていれば、車両シンボルＶが有名観光地付近を走行したときにその観光地情報を表示するようにしても構わない。
【００７３】
なお、本実施形態において経路データを特定するためのナビゲーション装置としては、ＧＰＳ衛星からの信号を用いたり、ＰＨＳ型の携帯電話機で実現されている位置取得方法と同様に、地上に設置された複数の電波の発信源からの電波を受信することにより、これらの発信源を基準にして車両の位置を取得するものが考えられる。
【００７４】
また、本実施形態では、タイトルバー４１に合成すべきサムネイル画像４２として経路データに観光地タイトルを表示した画像データを用いたが、これに限定されず、例えば、その観光地毎に予め登録されている観光地にちなんだ画像を合成するようにしても構わない。
【００７５】
なお、旅行期間中において、画像データを撮影した撮影ポイントが１ヶ所のみであった場合には、その撮影ポイントを示す観光地タイトルのみを地図上で表示した画像をタイトルバー４１に合成すべきサムネイル画像４２として用いるようにしても構わない。
【産業上の利用可能性】
【００７６】
以上説明したように、本発明は、アルバムのタイトル表示を見るだけでそのアルバムの内容をユーザーが容易に想起できるという実用性の高い効果が得られることから、きわめて有用で産業上の利用可能性は高い。
【図面の簡単な説明】
【００７７】
【図１】本発明の本実施形態に係るナビゲーションアルバムシステムの構成を示すブロック図である。
【図２】関連付け処理のフローチャート図である。
【図３】関連付け処理を行うメニュー画面を示す図である。
【図４】アルバム表示された画像データを示す図である。
【図５】タイトル編集メニューを示す図である。
【図６】タイトルバーにサムネイル画像を合成した状態を示す図である。
【図７】タイトルメニュー画面を示す図である。
【図８】タイトルバーに複数のサムネイル画像を合成した状態を示す図である。
【図９】タイトルバーに別のサムネイル画像を合成した状態を示す図である。
【図１０】地図表示画面を示す図である。
【符号の説明】
【００７８】
１００  電子アルバムシステム
２００  入出力部
２０１  ディスプレイ（表示手段）
３００  処理部
３０６  サムネイル画像合成手段
３０７  地図名称表示手段
３０８  副画像合成表示手段
３０９  合成画像変更手段
ＨＤ    ハードディスク（記録手段）
【図１】
2006185262.tif 000003
【図２】
2006185262.tif 000004
【図７】
2006185262.tif 000005
【図８】
2006185262.tif 000006
【図１０】
2006185262.tif 000007
【図３】
2006185262.tif 000008
【図４】
2006185262.tif 000009
【図５】
2006185262.tif 000010
【図６】
2006185262.tif 000011
【図９】
2006185262.tif 000012